(57)【要約】【課題】タッチパネル方式を採用するに当たって、操作性をより向上させることができる電子機器及び当該電子機器の操作方法を提供する。【解決手段】携帯電話機、ＰＤＡ、音楽再生機器、ゲーム機、電子書籍機器等の携帯情報端末、ＡＴＭ、駅券売機など、表示部を備える電子機器において、表示部の表示面上に位置する操作体の種類を光学的に識別する。そして、この識別した操作体の種類に応じて表示部に対する操作の内容を制御するようにすることで、操作性をより向上させる。【選択図】図３
2013117890.tif 000002
【特許請求の範囲】
【請求項１】
表示部と、
前記表示部の表示面上に位置する操作体の種類を光学的に識別する識別部と、
前記識別部が識別した前記操作体の種類に応じて前記表示部に対する操作の内容を制御する制御部と
を備える電子機器。
【請求項２】
前記識別部は、前記操作体からの反射光を基に当該操作体の種類を識別する
請求項１に記載の電子機器。
【請求項３】
前記識別部は、
前記表示部内に設けられた発光素子から発せられる光の照射光量と、前記発光素子から発せられ、前記操作体で反射された光を受光する、前記表示部内に設けられた受光素子の入射光量とに基づいて前記操作体の反射率を算出し、この算出した前記操作体の反射率を基に当該操作体の種類を識別する
請求項２に記載の電子機器。
【請求項４】
前記発光素子は、前記表示部の画素の発光素子である
請求項３に記載の電子機器。
【請求項５】
前記発光素子は、可視光以外の光を発する
請求項３に記載の電子機器。
【請求項６】
前記画素の発光素子は、自発光素子である
請求項４に記載の電子機器。
【請求項７】
前記自発光素子は、有機エレクトロルミネッセンス素子である
請求項６に記載の電子機器。
【請求項８】
前記受光素子は、光電変換可能な有機膜を用いる素子である
請求項７に記載の電子機器。
【請求項９】
前記受光素子は、前記画素に対応して設けられている
請求項４に記載の電子機器。
【請求項１０】
前記受光素子は、同じ色の前記画素間に設けられている
請求項９に記載の電子機器。
【請求項１１】
前記受光素子への光伝搬路の周囲が遮光壁によって覆われている
請求項９に記載の電子機器。
【請求項１２】
前記発光素子と前記受光素子とが同一の半導体基板上に形成されている
請求項３に記載の電子機器。
【請求項１３】
前記受光素子は、フォトダイオードである
請求項３に記載の電子機器。
【請求項１４】
前記受光素子は、当該受光素子の上に配されるカラーフィルタによって色分離されている
請求項３に記載の電子機器。
【請求項１５】
前記受光素子は、形成される半導体基板の深さ方向における形成位置によって色分離されている
請求項３に記載の電子機器。
【請求項１６】
前記表示部の表示面上に配されたタッチパネルを有する
請求項１に記載の電子機器。
【請求項１７】
前記識別部は、前記操作体によって前記タッチパネルが操作されたときに前記操作体の種類の識別を行う
請求項１６に記載の電子機器。
【請求項１８】
前記操作体によって前記タッチパネルが操作されたときの音を検知する集音器を有し、
前記識別部は、光学的な識別に加えて、前記集音器が検出した音の周波数成分を基に前記操作体の種類を識別する
請求項１６に記載の電子機器。
【請求項１９】
前記操作体は、反射率の異なるペン先を有するタッチペンである
請求項１に記載の電子機器。
【請求項２０】
表示部を備える電子機器の操作に当って、
前記表示部の表示面上に位置する操作体の種類を光学的に識別し、
その識別した前記操作体の種類に応じて前記表示部に対する操作の内容を制御する
電子機器の操作方法。
【発明の詳細な説明】
【技術分野】
【０００１】
本開示は、電子機器及び電子機器の操作方法に関し、特に、表示部を備える電子機器及び当該電子機器の操作方法に関する。
【背景技術】
【０００２】
表示部を備える電子機器、例えば、携帯電話機、ＰＤＡ（Personal Digital Assistants）等の携帯情報端末、銀行等に設置されているＡＴＭ（Automatic Teller Machine）、駅等に設置されている券売機などでは、操作ボタン等を含む操作部に代えてタッチパネルを用いることで、操作性の向上を図っている。
【０００３】
タッチパネルとしては、操作する操作体の観点から分類すると、指によって操作する方式のもの（例えば、特許文献１参照）や、タッチペンなどの専用の操作体を用いて操作する方式のもの（例えば、特許文献２参照）などが知られている。
【先行技術文献】
【特許文献】
【０００４】
【特許文献１】特開２０１０−２６７１０号公報
【特許文献２】特開２００８−９８７６３号公報
【発明の概要】
【発明が解決しようとする課題】
【０００５】
上述したいずれの方式のタッチパネルにあっても、指やタッチペンなどの操作体が接触する画面上の位置を単に検知するものに過ぎず、操作の多様性の点で難がある。これに対し、操作する操作体の種類を光学的に識別し、その識別した操作体の種類に応じて表示部に対する操作の内容で制御できれば、操作の多様性につながり、操作性をより向上させることができる。
【０００６】
そこで、本開示は、タッチパネル方式を採用するに当たって、操作性をより向上させることができる電子機器及び当該電子機器の操作方法を提供することを目的とする。
【課題を解決するための手段】
【０００７】
本開示の電子機器は、
表示部と、
前記表示部の表示面上に位置する操作体の種類を光学的に識別する識別部と、
前記識別部が識別した前記操作体の種類に応じて前記表示部に対する操作の内容を制御する制御部と
を備える。
【０００８】
また、本開示の電子機器の操作方法は、
表示部を備える電子機器において、
表示部の表示面上に位置する操作体の種類を光学的に識別し、
その識別した前記操作体の種類に応じて前記表示部に対する操作の内容を制御するようにする。
【０００９】
本開示の電子機器またはその操作方法において、表示部の表示面上に位置する操作体の種類を光学的に識別することで、操作体の種類をより確実に識別できる。そして、その識別結果に応じて表示部に対する操作内容を制御することで、操作体による操作の過程で操作内容を所望の内容に切り替えることができる。
【発明の効果】
【００１０】
本開示によれば、操作する操作体の表示面上の位置情報を取得するだけでなく、操作体の種類に応じて表示部に対する操作内容を操作体による操作の過程で切り替えることができるため、操作性をより向上させることができる。
【図面の簡単な説明】
【００１１】
【図１】本開示の実施形態に係る携帯型音楽再生機器の外観の概略を示す斜視図である。
【図２】実施例１に係る表示部における発光素子及び受光素子のレイアウトの一例を示す平面図である。
【図３】図２のＡ−Ａ´線に沿った矢視断面を示す断面図である。
【図４】実施例１に係る制御系の構成の一例を示すブロック図である。
【図５】実施例１に係る制御系による制御の下で実行される処理手順を示すフローチャートである。
【図６】有機ＥＬ素子の出力分光とフォトダイオードの感度特性の例（Ａ）、及び、爪と皮膚の反射率の例（Ｂ）をそれぞれ示す図である。
【図７】皮膚に光が当たったときの出力例（Ａ）、及び、爪に光が当たったときの出力例（Ｂ）をそれぞれ示す図である。
【図８】表示部に対する操作内容の具体例の説明図であり、（Ａ）は皮膚でタッチした場合を、（Ｂ）は爪でタッチした場合をそれぞれ表わしている。
【図９】音楽再生機器における使用例の説明図であり、（Ａ）は皮膚での操作例を、（Ｂ）は爪での操作例をそれぞれ表わしている。
【図１０】ペイントソフトにおける使用例の説明図であり、（Ａ）は実線描画の場合を、（Ｂ）は破線描画の場合をそれぞれ表わしている。
【図１１】発光素子及び受光素子の他のレイアウト例１を示す断面図である。
【図１２】発光素子及び受光素子の他のレイアウト例２を示す断面図である。
【図１３】発光素子及び受光素子の他のレイアウト例３を示す平面図である。
【図１４】発光素子及び受光素子の他のレイアウト例４を示す平面図ある。
【図１５】実施例２に係る表示部周辺の構成例を示す概略斜視図である。
【図１６】実施例２に係る制御系の構成の一例を示すブロック図である。
【図１７】実施例３に係るボールペン式タッチペンの構成例を示す正面図である。
【図１８】実施例３の場合の表示部に対する操作内容の具体例を示す図である。
【図１９】従来のタッチパネル式の電子機器における作業例を示す図である。
【図２０】実施例３の場合の作業例を示す図である。
【図２１】実施例４に係る表示部周辺の構成例を示す概略斜視図である。
【図２２】実施形態に係る表示部の製造方法の一例を示す製造工程図である。
【図２３】有機ＥＬ素子からの直接光の反射率測定への影響について説明する図である。
【図２４】実施形態に係る表示部の製造方法の他の例を示す製造工程図（その１）である。
【図２５】実施形態に係る表示部の製造方法の他の例を示す製造工程図（その２）である。
【発明を実施するための形態】
【００１２】
以下、本開示の技術を実施するための形態（以下、「実施形態」と記述する）について図面を用いて詳細に説明する。本開示は実施形態に限定されるものではなく、実施形態における種々の条件や数値などは例示である。以下の説明において、同一要素又は同一機能を有する要素には同一符号を用いることとし、重複する説明は省略する。尚、説明は以下の順序で行う。
１．本開示の電子機器及び電子機器の操作方法、全般に関する説明
２．実施形態に係る電子機器
２−１．実施例１
２−２．実施例２
２−３．実施例３
２−４．実施例４
２−５．製造方法
３．変形例
４．本開示の構成
【００１３】
＜１．本開示の電子機器及び電子機器の操作方法、全般に関する説明＞
本開示の電子機器は、表示部を備える電子機器である。表示部を備える電子機器としては、パーソナルコンピュータ（ＰＣ）や、携帯電話機、ＰＤＡ（Personal Digital Assistants）、音楽再生機器、タブレットＰＣ、ゲーム機、電子書籍機器等の携帯情報端末を例示することができる。更に、これら携帯情報端末に限らず、銀行等に設置されているＡＴＭ（Automatic Teller Machine）や、駅等に設置されている券売機なども、表示部を備える電子機器として例示することができる。
【００１４】
本開示の電子機器の表示部としては、モノクロ表示対応の表示部であってもよいし、カラー表示対応の表示部であってもよい。カラー表示対応の場合は、カラー画像を形成する単位となる１つの画素（単位画素）は、複数の副画素（サブピクセル）から構成されることになる。より具体的には、カラー表示対応の表示部では、１つの画素は、例えば、赤色（Ｒｅｄ；Ｒ）を表示する副画素、緑色（Ｇｒｅｅｎ；Ｇ）を表示する副画素、青色（Ｂｌｕｅ；Ｂ）を表示する副画素の３つの副画素から構成される。
【００１５】
但し、１つの画素としては、ＲＧＢの３原色の副画素の組み合わせに限られるものではなく、ＲＧＢの３原色の副画素に更に１色あるいは複数色の副画素を加えて１つの画素を構成することも可能である。より具体的には、例えば、輝度向上のために白色（Ｗｈｉｔｅ；Ｗ）を表示する副画素を加えて１つの画素を構成したり、色再現範囲を拡大するために補色を表示する少なくとも１つの副画素を加えて１つの画素を構成したりすることも可能である。
【００１６】
本開示の電子機器は、表示部の表示面上で各種の操作を行うことができる構成となっている。表示面上での操作を可能にするために、本開示の電子機器は、表示部の表示面上に位置する操作体の種類を光学的に識別する識別部と、当該識別部が識別した操作体の種類に応じて表示部に対する操作の内容を制御する制御部とを備える。
【００１７】
ここで言う「操作体」とは、電子機器のユーザーが表示面上で操作を行う際に用いる物体のことである。電子機器のユーザーが指で操作を行う場合は当該指が操作体ということになる。指による操作には、爪の部位で操作する場合や、指の腹（指先の内側）などの皮膚の部位で操作する場合や、指の側面側の爪と皮膚の境界の部位で操作する場合などが考えられる。
【００１８】
人の指は、その部位によって光の反射率が異なる。具体的には、爪の部位と、指の腹などの皮膚の部位と、指の側面側の部位とで光の反射率が異なる。また、同じ爪の部位であっても、例えば、マニキュアを塗った場合と塗らない場合、あるいは、塗るマニキュアの色や種類などによっても光の反射率が異なる。
【００１９】
表示部の表示面上に位置する操作体の種類を光学的に識別する識別部において、「操作体の種類」とは、操作体が例えば指の場合には、操作する指の部位、即ち、爪の部位（爪部）／皮膚の部位（皮膚部）／側面側の部位（側面部）ということになる。また、爪の部位に特化した場合には、マニキュアを塗った爪であるか、塗っていない爪であるか、あるいは、塗るマニキュアの色や種類などが「操作体の種類」ということになる。
【００２０】
ここでは、操作体が指の場合を例に挙げたが、反射率が異なる複数の部位を持つ専用の操作体、例えば３芯のボールペン形式で、芯体毎に先端部の反射率が異なる専用のペンなどを用いることもできる。
【００２１】
以上の観点からすると、識別部は、表示部の表示面上に位置する操作体からの反射光を基に操作体の種類を識別する構成であることが望ましい。ここで、「表示部の表示面上に位置する」とは、操作体が表示部の表示面に接触した状態や、表示面に対して所定の距離以内に近接した状態を言う。
【００２２】
識別部は、表示部内に設けられた発光素子の照射光量と、発光素子から発せられ、操作体で反射された光を受光する、表示部内に設けられた受光素子の入射光量とに基づいて、操作体の種類を識別する構成とすることができる。具体的には、発光素子の照射光量と受光素子の入射光量とに基づいて操作体の反射率を算出し、この算出した操作体の反射率を基に当該操作体の種類を識別することができる。
【００２３】
表示部内に設けられる発光素子としては、表示部の画素の発光素子を用いることができる。この場合、発光素子が発する光は可視光となる。表示部がカラー表示対応の場合は、例えばＲ，Ｇ，Ｂの各色光となる。表示部内に設けられる発光素子としては、表示部の画素の発光素子に限られるものではなく、赤外光などの可視光以外の光を発する発光素子であってもよい。
【００２４】
表示部内に設けられる発光素子が、画素の発光素子である場合には、当該発光素子は自発光素子であるのが望ましい。発光素子が自発光素子であることで、表示部をフラットパネル型（平面型）の表示部とすることができるため、特に、携帯情報端末への搭載が可能となる。また、画素に専用の発光素子を設けなくても、操作体の操作位置を検出するための光を画素単位で得ることができる。自発光素子としては、有機ＥＬ（エレクトロルミネッセンス）素子、ＬＥＤ（発光ダイオード）素子、プラズマ素子などを例示することができる。
【００２５】
自発光素子として有機ＥＬ素子を用いて成る有機ＥＬパネル（表示装置）は、次のような特長を持っている。すなわち、有機ＥＬ素子は、１０Ｖ以下の印加電圧で駆動できるために低消費電力である。また、有機ＥＬ素子は、自発光素子であるために画像の視認性が高く、しかも、応答速度が数μｓｅｃ程度と非常に高速であるために動画表示時の残像が発生しない。
【００２６】
有機ＥＬ素子を逆バイアス状態にすることにより、当該有機ＥＬ素子を受光素子として用いることができる。従って、自発光素子として有機ＥＬ素子を用いる場合には、受光素子としても有機ＥＬ素子を用いるのが好ましい。このようにすることで、発光素子及び受光素子を共に同じプロセスにて、同じ配線層やトランジスタ層に形成することができるため、製造コストの低減を図る上で有利となる。但し、受光素子として用いる有機ＥＬ素子は、光電変換可能な有機膜を用いる素子の一例であり、有機ＥＬ素子に限られるものではない。
【００２７】
受光素子は、発光素子に対応して設ける、好ましくは、同じ色の画素間に設けるのが望ましい。このようにすることで、発光素子から画素単位で発せられる、操作体の操作位置を検出するための光を画素単位で受光することができるために、操作体の操作位置を画素単位で検出することができる。また、受光素子への光伝搬路の周囲に遮光壁を設けるようにすることもできる。これにより、発光素子からの直接光が受光素子に入らないように遮光することができるため、当該直接光が操作体の反射率を測定する上での障害となることはない。
【００２８】
画素の発光素子と受光素子とについては、同一の半導体基板上に形成する構成とすることができる。また、受光素子としては、例えばフォトダイオード、具体的には、当該受光素子が形成される半導体基板において、配線層が配される側と反対側から光を取り込む裏面照射型センサ構造のフォトダイオードや、表面側から光を取り込む表面照射型センサ構造のフォトダイオードを用いることができる。受光素子については、形成される半導体基板の深さ方向における形成位置を変えることによって、カラーフィルタを用いなくても色分離を行うことができる。受光素子を同一の深さ位置に形成して、カラーフィルタによって色分離を行うようにすることもできる。
【００２９】
操作体の種類を光学的に識別する構成によれば、表示部上にタッチパネルが設けられていなくても、タッチパネルのような感覚で操作を行うことができる。特に、操作体が例えば指の場合には、爪や皮膚を使い分けた操作が可能になり、また、ペイントソフトなどを使用する際に、色の切り替えなどが直感的な動作で可能となるため、ノートなどの記録媒体に絵や文字を書くような感覚で表示部にて描画できる。従って、音楽再生機器、携帯電話機、パーソナルコンピュータ、タブレットＰＣ、ゲーム機などの幅広い電子機器における操作性、使用性を格段に向上させることができる。
【００３０】
また、電子機器の表示部を、受光素子を有する表示パネル構造とすることで、タッチパネルとしての用途だけでなく、外光の状況も取得する、といった用途も考えられる。つまり、周辺が明るい環境か、暗い環境かなどを表示部自体が判別できる。これにより、周辺の明るさに合わせて、表示部の輝度を変えるようにすることができる。例えば、周辺光量が相対的に明るい場合は、表示部の輝度も明るくし、周辺光量が相対的に暗い場合は表示部の輝度も暗くするように制御を行うことが可能となる。特に、受光素子が画素に対応して設けられている場合は、表示部の表示画面全体で輝度を判別できるため、画面に当っている的確な照度判別によって輝度調整が可能となる。
【００３１】
操作体の種類を光学的に識別する構成に加えて、表示部の表示面上にタッチパネルを配した構成とし、当該タッチパネルによって操作体によって操作されたことを検知する構成とすることもできる。また、操作体によってタッチパネルが操作されたときの音を検知する集音器を設けて、音の周波数成分を基に操作体の種類を識別する手法を、光学的な識別の手法と併用する構成とすることもできる。あるいは、表示部の表示面に流す微弱電流の変化を基に操作体の種類を識別する手法を、光学的な識別の手法と併用する構成とすることもできる。
【００３２】
＜２．実施形態に係る電子機器＞
以下に、本開示の実施形態に係る電子機器、即ち、表示部を備え、当該表示部の表示面上で各種の操作を行うことができる構成の電子機器の具体例について説明する。
【００３３】
図１は、本開示の実施形態に係る電子機器、例えば、携帯型音楽再生機器の外観の概略を示す斜視図である。図１に示すように、本開示の実施形態に係る音楽再生機器１０は、正面及び背面が共に略長方形状に形成された扁平形状の本体部１１を有している。本体部１１の正面側には、例えば長方形状の情報表示面１２Aを有する表示部１２が設けられている。
【００３４】
表示部１２の情報表示面１２Aには、１又は複数の表示子を有する表示画面や所定の情報をリスト化して示す表示画面等のように、種々の構成の表示画面を表示し得るようになっている。また、表示部１２の情報表示面１２Aには、種々の表示画面を単独で表示し、また、特定の表示画面上に他の表示画面や１又は複数の表示子等の他の情報を重畳させて表示することもできるようになっている。
【００３５】
そして、本実施形態に係る音楽再生機器１０にあっては、表示部１２から直接、即ち、情報表示面１２A上で、タッチパネル的に各種の操作を行うことができるようになっている。より具体的には、本実施形態に係る音楽再生機器１０は、例えば、情報表示面１２A上にタッチパネルが設けられていなくても、タッチパネルのような感覚で操作を行うことができるようになっている。
【００３６】
特に、本実施形態に係る音楽再生機器１０は、操作に当って、情報表示面１２A上に位置する操作体の種類を光学的に識別し、その識別した操作体の種類に応じて表示部１２に対する操作の内容を制御することを特徴としている。その詳細については後述する。
【００３７】
本体部１１の正面の下側には、再生の開始及び停止を指示するための再生／停止ボタン１３と、ホームメニュー画面を表示するためのホームボタン１４とが配置されている。更に、本体部１１の一方の側面には、音量を調節するための音量調節ボタン１５が設けられている。
【００３８】
上述したような携帯型の音楽再生機器など、表示部を有する電子機器において、表示部の表示面上に位置する操作体の種類を光学的に識別し、その識別した操作体の種類に応じて表示部に対する操作の内容を制御する具体的な実施例について以下に説明する。
【００３９】
［２−１．実施例１］
図２は、実施例１に係る表示部における発光素子及び受光素子のレイアウトの一例を示す平面図である。実施例１に係る表示部１２では、発光素子として例えば有機ＥＬ素子を用い、受光素子として例えばフォトダイオードを用い、ＲＧＢの副画素（以下、単に「画素」と呼ぶ場合もある）が色毎にストライプ状に配列された表示パネルの構成となっている。
【００４０】
ＲＧＢの有機ＥＬ素子２１R，２１G，２１Bがストライプ状に配列されて成る画素配列において、入射光を光電変換して光量を検知可能なフォトダイオード２２は、有機ＥＬ素子２１R，２１G，２１Bの各々に対応して設けられている。より具体的には、フォトダイオード２２は、同じ色の画素（有機ＥＬ素子）間に設けられている。
【００４１】
図３に、図２のＡ−Ａ´線に沿った矢視断面の構造を示す。図３において、半導体基板２３にはフォトダイオード２２及び配線層２４が形成されている。この半導体基板２３において、配線層２４が形成されている側を表面とするとき、フォトダイオード２２は、配線層２４が配される側と反対側、即ち、裏面側に配されて半導体基板２３の裏面側から光を取り込む、所謂、裏面照射型センサ構造となっている。
【００４２】
半導体基板２３の上には、素子形成層２５が設けられている。この素子形成層２５の半導体基板２３と反対側には、Ｒ，Ｇ，Ｂの有機ＥＬ素子２１R，２１G，２１Bが形成され、半導体基板２３側には、有機ＥＬ素子２１R，２１G，２１Bの電極を含む配線層２６が形成されている。そして、素子形成層２５の光出射面側には、透明な保護膜２７が設けられている。
【００４３】
上記構成の実施例１に係る表示部１２において、有機ＥＬ素子２１R，２１G，２１Bから発せられる光は、図１の表示部１２の情報表示面１２Aに画像などを表示する表示光として用いられるとともに、情報表示面１２A上に位置する操作体を検知する検知光としても用いられる。
【００４４】
すなわち、有機ＥＬ素子２１R，２１G，２１Bから発せられる光は、情報表示面１２A上に位置する操作体にも照射される。そして、操作体で反射された光は、フォトダイオード２２に入射する。ここで、有機ＥＬ素子２１R，２１G，２１Bによる光の照射光量と、フォトダイオード２２に入射する光の入射光量とが同一のデバイス内でわかる。従って、これらの光量から操作体の反射率（即ち、フォトダイオード２２への入射光量／有機ＥＬ素子２１R，２１G，２１Bの照射光量）を算出することができる。
【００４５】
ここでは、操作体が指の場合を例に挙げる。指によって表示部１２の情報表示面１２Aを操作することで、特に図３に示すように、指によってフォトダイオード２２の上方が覆われることになるため、フォトダイオード２２に対する外光の影響が受けにくくなる。また、指はその部位によって反射率が異なる。具体的には、爪の部位（爪部）と、指の腹などの皮膚の部位（皮膚部）と、指の側面側の部位（側面部）とで光の反射率が異なる。従って、指の部位毎の反射率の違いによって、表示部１２に対する操作の内容を制御することが可能となる。
【００４６】
（制御系の構成）
図４は、操作体の反射率を基に操作内容を制御する実施例１に係る制御系の構成の一例を示すブロック図である。
【００４７】
本例に係る制御系４０Aは、ＡＤ変換部４１、識別部４２、メモリ部４３、及び、制御部４４を有し、フォトダイオード２２の出力信号に基づいて制御部４４による制御の下に表示部１２の操作内容の制御を行う構成となっている。
【００４８】
ＡＤ変換部４１は、フォトダイオード２２から与えられるアナログ信号をデジタル信号に変換して識別部４２に与える。識別部４２は、ＡＤ変換部４１から与えられるデジタル値に基づいて、表示部１２の情報表示面１２A上の指のタッチ位置や物体（爪や皮膚等）を識別する。
【００４９】
ここで、表示部１２の情報表示面１２Aに指がタッチしているか否かをフォトダイオード２２の出力を基に判別するには、外光の影響を考慮する必要がある。例えば、明るい日中に野外で使用する場合など、外光もフォトダイオード２２に入射される。タッチしているか否かは、外光が入射するかどうかで判別する。つまり、指がタッチしている部分は外光が遮られ、有機ＥＬ素子２１R，２１G，２１Bからの反射が主成分となる。
【００５０】
図２や図３に示したように、例えば緑の有機ＥＬ素子２１Gに挟まれたフォトダイオード２２には、緑色の光が主に入射する。赤や青に関しても同様のことが言える。つまり、有機ＥＬ素子２１R，２１G，２１Bの各々の隣接する２つの画素に挟まれた各フォトダイオード２２は、指タッチ時の表示部１２のＲＧＢ発光比率に応じた出力となる。
【００５１】
図２及び図３に示すように、同色の有機ＥＬ素子２１R，２１G，２１Bの間にフォトダイオード２２を配置することで、フォトダイオード２２自体にはカラーフィルタを設けなくとも、反射されてくる光の波長依存性を見ることができる。
【００５２】
具体的なフォトダイオード２２の出力比率は、
出力比率＝有機ＥＬ素子のＲＧＢ発光比率×フォトダイオードのＲＧＢ感度比率×各色反射率波長依存
となる。
【００５３】
ここで、有機ＥＬ素子２１R，２１G，２１Bの発光輝度は、そのデバイス自体が意図的に発光させる輝度値であるため既知である。フォトダイオード２２の分光特性も設計可能なものであるため既知である。操作体の反射部の各色波長依存性は、物体によって変動するため事前に範囲を持ったパラメータとして予め保持しておく必要がある。このパラメータは、メモリ部４３に予め記憶・保持される。
【００５４】
また、反射体の識別をより正確に行うには、電子機器のユーザーが事前に自分の指の爪や皮膚の反射率を個別に電子機器に読み取らせて登録しておくようにすることもできる。その際の反射率の情報は、メモリ部４３に記憶・保持される。
【００５５】
そのようにすることにより、反射率の個人差やマニキュアを塗った爪であっても対応可能となる。例えば、全ての指の爪に異なる反射率のマニキュアを塗ることで、個別の指で操作内容を変えることも可能である。また、セキュリティ用途として、反射率の個人差を利用して、事前に登録された反射率のユーザーしか電子機器を使用できないようにすることもできる。
【００５６】
識別部４２は、メモリ部４３の記憶情報を参照しつつ操作体のタッチ位置とタッチ物体の識別処理を行い、その識別結果を制御部４４に送る。制御部４４は、マイクロプロセッサなどによって構成され、識別部４２から与えられる識別結果を基に表示部１２に対する操作内容を制御し、その操作内容に応じた情報を表示部１２の情報表示面１２A上に表示させる。
【００５７】
（操作方法）
続いて、上記構成の実施例１に係る制御系４０Aによる制御の下で実行される処理手順（即ち、本開示の操作方法の処理手順）について、図５のフローチャートに沿って説明する。
【００５８】
先ず、表示部１２の情報表示面１２Aが操作体、本例の場合は指によってタッチされているか否かを、例えば先述したように、フォトダイオード２２に外光が入射するか否かによって判定し（ステップＳ１１）、タッチされていると判定した場合は、反射率計測の精度を上げるために操作体がタッチしている部位の発光輝度を上げる処理を行う（ステップＳ１２）。但し、この発光輝度を上げる処理については任意である。すなわち、当該処理を行なってもよいし、行わなくてもよい。発光輝度を上げても、指で覆われているため、ユーザーの目に入ってくる情報にはならない。
【００５９】
次に、フォトダイオード２２の出力を基に指の反射率を測定し（ステップＳ１３）、次いで、その測定結果を基にメモリ部４３を参照する（ステップＳ１４）。そして、表示部１２の情報表示面１２Aにタッチしている指の部位の反射率が皮膚の反射率であるか、爪の反射率であるか、もしくは、それ以外の反射率であるかを判定する（ステップＳ１５，Ｓ１６）。
【００６０】
そして、ステップＳ１５において、情報表示面１２Aにタッチしている指の部位が皮膚部であると判定した場合、即ち、測定した反射率がメモリ部４３に記憶されている皮膚の反射率と類似している場合は、操作Ａを実行する（ステップＳ１７）。ステップＳ１６において、情報表示面１２Aにタッチしている指の部位が爪部であると判定した場合、即ち、測定した反射率がメモリ部４３に記憶されている爪の反射率と類似している場合は、操作Ｂを実行する（ステップＳ１８）。
【００６１】
ステップＳ１５，Ｓ１６において、情報表示面１２Aにタッチしている指の部位が皮膚部でも、爪部でもないと判定した場合は、操作Ｃを実行する（ステップＳ１９）。ここでは、皮膚部でも、爪部でもないと判定した場合に操作Ｃを実行するとしたが、何も実行せずに本処理を終了するようにしてもよい。操作Ａ〜Ｃの各操作内容は、事前に登録された動作内容となる。その操作内容の具体例については後述する。
【００６２】
ここで、有機ＥＬ素子２１R，２１G，２１Bの出力分光とフォトダイオード２２の感度特性の例、爪と皮膚の反射率の例、皮膚及び爪に光が当たったときの出力例について、図６及び図７を用いて説明する。
【００６３】
図６において、（Ａ）は有機ＥＬ素子２１R，２１G，２１Bの出力分光とフォトダイオード２２の感度特性の例を示し、（Ｂ）は爪と皮膚の反射率の例を示している。また、図７において、（Ａ）は皮膚に光が当たったときの色毎の出力例を示し、（Ｂ）は爪に光が当たったときの色毎の出力例を示している。
【００６４】
先ず、図６（Ａ）において、有機ＥＬ素子２１R，２１G，２１Bの発光部分の分光特性が点線である仮定する。それに対して、図６（Ａ）において、フォトダイオード２２の感度特性が実線であるとする。更に、図６（Ｂ）において、本実施形態に係る電子機器１０を使用するユーザーの皮膚の反射率が実線であり、爪の反射率が点線であるとする。
【００６５】
指がタッチした部分を、図６（Ａ）の点線で示す出力と同等に発光させた場合、青色発光の画素に挟まれたフォトダイオードにおける出力は、青色発光（図６（Ａ）の点線）と対象物質の反射率（図６（Ｂ））の掛け算したものに、更に、フォトダイオード２２の分光特性（図６（Ａ）の実線）を掛け合わせたものとなる。緑色発光、赤色発光の画素に挟まれたフォトダイオードについても同様である。
【００６６】
この結果、皮膚に光が当たった場合の出力は図７（Ａ）の出力の積分値、爪に光が当たった場合の出力は図７（Ｂ）の出力の積分値となる。これら積分値の比率は次の通りである。
皮膚  Ｒ：Ｇ：Ｂ  ＝  ３．７：３．６：１．６
爪    Ｒ：Ｇ：Ｂ  ＝  ４．９：６．０：３．１
【００６７】
この結果の場合、皮膚に比べ爪の方が緑色の占める割合が大きくなることが分かり、このような条件のときに爪がタッチしたと識別する（この比率はあくまで参考例である）。また、比率だけでなく反射光の絶対値で検出するようにしてもよい。
【００６８】
尚、皮膚や爪の特性には個人差があるため、ある程度幅を持って登録しておくか、使用前にユーザー自身がどのような出力特性になるかを事前に電子機器に登録しておくなどの手法が考えられる。
【００６９】
（操作内容の具体例について）
次に、先述した操作Ａ，Ｂなどの表示部１２に対する操作内容の具体例について、図８乃至図１０を用いて説明する。
【００７０】
ここでは、一例として、操作体が指のときに、図６（Ｂ）に示すように、反射率が相対的に低い皮膚と、反射率が相対的に高い爪との反射率の違いによって操作内容を変える場合を例に挙げて説明する。
【００７１】
図８に示すように、ユーザーが表示部１２の情報表示面１２Aに皮膚部でタッチした場合（Ａ）は「操作Ａ」を実行し、爪部でタッチした場合（Ｂ）は「操作Ｂ」を実行する。操作Ａと操作Ｂの具体例を図９に示す。
【００７２】
図９は、音楽再生機器における使用例を示している。選曲の際に、皮膚で操作した場合（Ａ）には、アーティスト（歌手）を選定する画面が表示され、爪で操作した場合（Ｂ）には曲名を選定する画面が表示される。従来は、歌手名を探すか、曲名を探すかといった動作は、他の操作によるモードの切り替えが必要だった。しかし、本実施形態に係る操作方法を適用することでモードの切り替えは、例えば指の皮膚か爪かなど、反射率の異なる物質によって実現でき、より直感的な操作が可能となる。
【００７３】
図１０は、ペイントソフトの使用時の例を示している。ここで、「ペイントソフト」とは、コンピュータ上で描画する２次元コンピュータグラフィックス用のグラフィックソフトウェアである。皮膚で操作した場合（Ａ）には、皮膚がなぞる軌跡をたどって実線が描画され、爪で操作した場合（Ｂ）には、爪がなぞる軌跡をたどって破線が描画される。
【００７４】
尚、この例では、実線の描画（Ａ）と破線の描画（Ｂ）の場合を例示しているが、これは一例に過ぎない。例えば、皮膚で操作した場合には、皮膚がなぞる軌跡をたどって黒線を描画し、爪で操作した場合には、爪がなぞる軌跡をたどって赤線を描画するような動作内容など、様々な動作内容とすることができる。
【００７５】
（発光素子と受光素子の他のレイアウト例について）
発光素子である有機ＥＬ素子２１（２１R，２１G，２１B）と、受光素子であるフォトダイオード２２のレイアウトに関し、図２及び図３の例では単純に、同じ色の画素（有機ＥＬ素子２１）間にフォトダイオード２２を配するレイアウト構造を採っていた。当該レイアウト構造以外に、以下に説明するようなレイアウト構造を採ることもできる。
【００７６】
・他のレイアウト例１
例えば、図１１に示すように、フォトダイオード２２上にカラーフィルタ３０を設けて色分離をより正確に行うレイアウト構造とすることもできる。図２及び図３の例では、緑色の有機ＥＬ素子２１Gに挟まれたフォトダイオード２２に入ってくる操作体からの反射光は、緑色の波長が主成分であることを前提としている。他の有機ＥＬ素子２１R，２１Bからの混色成分の影響をさらに除外するには、フォトダイオード２２上にカラーフィルタ３０を設けて（図１１の例の場合、緑色用のカラーフィルタ）、緑色以外の光を吸収させることで、色分離をより確実に行うことができる。
【００７７】
・他のレイアウト例２
また、図１２に示すように、半導体基板２３の深さ方向におけるフォトダイオード２２の形成位置を色別に変えるレイアウト構造とすることもできる。長波長（赤色）側の光ほど、半導体基板２３の奥まで到達して光電変換されるために、赤色のフォトダイオード２２Rについては半導体基板２３の基板表面から深い位置に形成する。また、緑色のフォトダイオード２２Gについては赤色のフォトダイオード２２Rよりも浅い位置に形成し、青色のフォトダイオード２２Bについては半導体基板２３の基板表面付近に形成する。
【００７８】
一例として、赤色のフォトダイオード２２Rについては基板表面から１．５μｍ〜２．０μｍ程度の区間の深さ位置に形成するのが好ましい。緑色のフォトダイオード２２Gについては基板表面から０．７μｍ〜１．４μｍ程度の区間の深さ位置に形成するのが好ましい。青色のフォトダイオード２２Bについては基板表面から０μｍ〜０．６μｍ程度の区間の深さ位置に形成するのが好ましい。
【００７９】
このように、半導体基板２３の深さ方向におけるフォトダイオード２２（２２R，２２G，２２B）の形成位置を色別に変えるレイアウト構造とすることにより、カラーフィルタ３０を設けなくても簡易的に特定色のみの検波を行うことができる。その結果、他の波長による混色を防ぎ、物質の検出判定精度を向上させることができる。
【００８０】
・他のレイアウト例３
以上説明したレイアウト構造ではいずれも、同じ色の画素（有機ＥＬ素子２１）間に、各色に対応してフォトダイオード２２を配するレイアウト構造となっていた。これに対して、図１３に示すように、フォトダイオード２２として各色に対応したＲ，Ｇ，Ｂのフォトダイオード２２R，２２G，２２Bを単位として同じ色の画素（有機ＥＬ素子２１）間に配置するレイアウト構造とすることもできる。
【００８１】
このように、Ｒ，Ｇ，Ｂのフォトダイオード２２R，２２G，２２Bを単位として同じ色の画素間に配置するレイアウト構造とすることにより、より細かい出力分析を行うことができる。
【００８２】
・他のレイアウト例４
以上説明したレイアウト構造ではいずれも、波長依存を見るレイアウト構造となっていた。これに対して、波長依存を見ずに、反射する絶対量だけを検波するのであれば、図１４に示すように、Ｒ，Ｇ，Ｂの副画素が行列状に配置されて成る画素アレイ部の一部分にのみフォトダイオード２２を設けるレイアウト構造とすることもできる。また、発光させる光はＲ，Ｇ，Ｂの各色光に限らずその他の光、例えば、赤外光などの可視光以外の光を用いても良いものとする。
【００８３】
上述したように、本実施例に係る表示部１２、即ち、フォトダイオード２２を搭載した有機ＥＬパネルによれば、情報表示面１２A上にタッチパネルが設けられていなくても、タッチパネルのような感覚で操作を行うことができる。特に、爪や皮膚を使い分けた操作が可能になり、また、ペイントソフトなどを使用する際に、色の切り替えなどが直感的な動作で可能となり、ノートなどの記録媒体に絵や文字を書くような感覚で表示部１２にて描画することが可能となるため、操作性を格段に向上させることができる。
【００８４】
［２−２．実施例２］
図１５は、実施例２に係る表示部周辺の構成例を示す概略斜視図である。
【００８５】
実施例１では、フォトダイオード２２を搭載した有機ＥＬパネル（即ち、表示部１２）により、操作体の接触位置の検出や接触物体の検知を光学的に行う構成を採っていた。これに対して、本実施例２では、図１１に示すように、表示部１２、即ち、フォトダイオード２２を搭載した有機ＥＬパネルの上にタッチパネル５０を重ねて配置した構成を採っている。
【００８６】
タッチパネル５０の構成については特に限定するものではない。具体的には、タッチパネル５０として、静電容量方式のタッチパネル、抵抗膜方式のタッチパネル、あるいは、音響波照合方式（Acoustic Pulse Recognition)のタッチパネルなどといった周知の構成のタッチパネルを用いることができる。
【００８７】
図１６は、タッチパネル５０を併用した実施例２に係る制御系の構成の一例を示すブロック図である。
【００８８】
実施例２に係る制御系４０Bは、実施例１に係る制御系４０Aの構成、即ち、ＡＤ変換部４１、識別部４２、メモリ部４３、及び、制御部４４に加えて、新たにＡＤ変換部４５を有する構成となっている。タッチパネル５０は、操作体が接触（タッチ）すると、それを検知して接触位置を示す信号を出力する。ＡＤ変換部４５は、タッチパネル５０から出力されるアナログ信号をデジタル値に変換して制御部４４に供給する。
【００８９】
上記の構成の実施例２に係る制御系４０Bにおいて、制御部４４は、タッチパネル５０から与えられる信号を基に、操作体による操作が行われていることを確認すると、識別部４２から操作体の接触物が何であるかの情報を得る。識別部４２は、フォトダイオード２２からの物体情報を基に、メモリ部４３に登録してある反射率情報を参照して、操作体が例えば指の場合、接触物が皮膚部か爪部か、もしくは、その他の部位かを識別して制御部４４へ渡す。
【００９０】
制御部４４は、識別部４２から得られた情報を基に操作内容を決定して、その操作内容に応じた情報を表示部１２の情報表示面１２Aに表示させる。制御部４４が操作体による操作が行われていることを確認した以降の動作フローについては、例えば、前述した図５のフローと同様である。
【００９１】
［２−３．実施例３］
実施例１，２では、操作体が指の場合を例に挙げたが、操作体としては、指に限られるものではなく、任意の物体を用いることができる。実施例３では、操作体として、所謂、３芯式のボールペン形式の操作体（以下、「ボールペン式タッチペン」と呼ぶ）を用いる場合を例に挙げて説明する。
【００９２】
図１７は、実施例３に係るボールペン式タッチペンの構成例を示す正面図である。ボールペン式タッチペン６０は、空洞状の本体部６１を有している。本体部６１の内部には、例えば３本の芯体（図示せず）が、本体部６１の長手方向に沿って移動可能に収納されている。一方、本体部６１の上端部の周壁部には、３本の芯体に対応する３個の操作子６２，６３，６４が、本体部６１の長手方向に沿って摺動可能に取り付けられている。
【００９３】
３個の操作子６２，６３，６４の各々と、３本の芯体の各々とは、周知の機構によって連動可能な構成となっている。すなわち、３個の操作子６２，６３，６４の各々が本体部６１の長手方向に沿って摺動するときに、これに連動して３本の芯体の各々が本体部６１の長手方向に沿って移動し、各々の先端部が本体部６１の先端から突出するようになっている。
【００９４】
また、３本の芯体の各々の先端（ペン先）には、反射率の異なる反射体（反射物質）６５A，６５B，６５Cが装着されている。ここでは、一例として、反射体６５Aの反射率を１０％、反射体６５Bの反射率を３０％、反射体６５Cの反射率を５０％とする。
【００９５】
一方、実施例３に係る制御系としては、例えば、実施例１に係る制御系４０Aと同じ構成（図４参照）の制御系を用いることができる。そして、図４のメモリ部４３には、各反射率に対応した操作内容、即ち、各反射率のときにどのような動作をするかを事前に登録しておくようにする。
【００９６】
表示部１２に対する操作内容の具体例を図１８に示す。例えば、反射率１０％のペン先でタッチされたときには黒実線を描き、反射率３０％のペン先でタッチされたときには黒破線を描き、反射率５０％のペン先でタッチされた時には赤点線を描く、などといったように表示部１２の情報表示面１２Aに対する描画制御を行うことが考えられる。
【００９７】
ここで、従来のタッチパネル式の電子機器における作業例について図１９を用いて説明する。図１９には、実線のＳ字と破線のＳ字を描くときの作業例を示している。従来は、先ず実線で線を描き（Ａ）、しかる後、破線に切り替えるために“ＭＥＮＵ”をタッチし（Ｂ）、情報表示面１２Aに線種選択画面を表示する。次に、線種選択画面にて破線を選択し（Ｃ）、しかる後、破線のＳ字を描画する（Ｄ）。
【００９８】
このように、従来は、電子機器内で色や線の種類を選択した後に例えば線を引いたりすることで任意の描画を実現していた。しかし、線種などを選択する動作などで手間がかかり、また、通常の紙のノートに色線を引くときの動作とかけ離れているため、操作が直感的ではなかった。
【００９９】
これに対して、実施例３に係るボールペン式タッチペン６０を用いて操作を行うことで、ペン先の反射率をボールペン式に変えるだけでよいため、図２０に示すように、実線を引く作業（Ａ）と、破線を引く作業（Ｂ）の２つの作業で済む。これにより、従来のノートに線を引くのと同様に、ペン先の反射率を変えるという直感的な操作が可能となる。
【０１００】
［２−４．実施例４］
図２１は、実施例４に係る表示部周辺の構成例を示す概略斜視図である。
【０１０１】
実施例４では、タッチパネル５０を操作体で操作した際に、表示部１２、即ち、フォトダイオード２２を搭載した有機ＥＬパネルを通して伝達される音を検知する、マイクロフォンなどの集音器７０を併用する構成を採っている。集音器７０は、タッチパネル５０を操作体で操作したときに、有機ＥＬパネルを通して伝達される音を検知する上では、当該有機ＥＬパネルと一体的に形成されているのが好ましい。
【０１０２】
集音器７０は、タッチパネル５０を操作体で操作する際に、操作体がタッチパネル５０に接触したときの音によって接触物体を識別するのに用いられる。操作体が例えば指の場合には、爪部で操作したときは皮膚部で操作したときに比べて高周波側の音として集音器７０によって検出される。皮膚部で操作したときは爪部で操作したときに比べて低周波側の音として集音器７０によって検出される。
【０１０３】
従って、タッチパネル５０が操作されたときに集音器７０で検出した音の周波数成分を読み取り、この周波数成分を基に、事前にメモリ部に登録しておいた操作内容を参照することにより、操作体が爪か、皮膚か、もしくは、それ以外かを識別することができる。具体的には、図５のフローチャートにおいて、ステップＳ１５，Ｓ１６の判定処理における反射率を音の周波数成分に置き換えることで、上記の識別を行うことができる。
【０１０４】
ここで、事前に操作内容を登録しておくメモリ部は、図４のメモリ部４３に相当する。そして、このメモリ部には、検出した音の周波数成分に対応した操作内容、即ち、各周波数成分のときにどのような動作をするかを事前に登録しておくようにする。
【０１０５】
上述したように、集音器７０で検出した音の周波数成分に基づく操作体の種類の識別を、実施例１〜３の光学的な識別と併用することにより、操作体の種類の識別精度をより向上させることができる。
【０１０６】
［２−５．製造方法］
本実施形態に係る表示部１２、即ち、フォトダイオード２２を搭載した有機ＥＬパネルは、任意の製造方法で作製可能である。
【０１０７】
（製造方法の一例）
その製造方法の一例を、図２２の製造工程図を用いて説明する。先ず、シリコン基板などの半導体基板２３に周知の手法を用いてフォトダイオード２２を作製する（工程１）。このときのイオンインプラの濃度やエネルギーによって、半導体基板２３の深さ方向におけるフォトダイオード２２の形成位置を任意に決めることができる。
【０１０８】
次に、フォトダイオード２２を駆動し、フォトダイオード２２から信号を読み出すためのトランジスタや配線（図３の配線層２４に相当）を形成する（工程２）。次に、パッシベーション膜８１を形成し、更に、支持基板８２を接合（接着）し（工程３）、次いで、半導体基板２３を裏返す（工程４）。
【０１０９】
次に、半導体基板２３の裏面側を、バックグラインドやＣＭＰ（Chemical Mechanical Polishing：化学的機械研磨）などで研磨してフォトダイオード２２の近傍まで削り取る（工程５）。ここまでの工程によって、フォトダイオード２２に関わる部分が作製されたことになる。
【０１１０】
次に、有機ＥＬ素子２１（２１R，２１G，２１B）の駆動に関わるトランジスタや有機ＥＬ素子２１の下部電極を含む配線（図３の配線層２６に相当）を形成し（工程６）、次いで、有機ＥＬ素子２１の有機層（有機ＥＬ材料）２１１、上部電極２１２を形成し、更に、上部電極２１２の上に保護膜２７を形成する（工程７）。上述した一連の工程により、図３に示すように、上部側が有機ＥＬ素子２１の形成層となり、下部側がフォトダイオード２２の形成層となる。
【０１１１】
上述した製造方法の場合には、有機ＥＬ素子２１とフォトダイオード２２とを個別に作製するため、個別に最適化されたプロセスを適用することができる。もちろん、個別ではなく、同じ配線層やトランジスタ層にこれらを形成するようにしてもよい。
【０１１２】
尚、フォトダイオード２２として、本実施形態では裏面照射型センサ構造のフォトダイオードを用いるようにしている。フォトダイオード２２が裏面照射型センサ構造のフォトダイオードであることで、上述した一連の工程から明らかなように、有機ＥＬ素子２１とフォトダイオード２２とを、個別に最適化されたプロセスを適用して作製することができる利点がある。
【０１１３】
裏面照射型センサ構造のフォトダイオードの製造方法としては例えば特開２０１１−１３８９２７号公報に記載の周知の製造方法を、有機ＥＬ素子の製造方法としては例えば特開２００６−３３８９１６号公報に記載の周知の製造方法を用いることができる。
【０１１４】
（有機ＥＬ素子からの直接光の反射率測定への影響について）
ところで、図３に示す表示部１２の構造の場合、図２３（Ａ）に示すように、有機ＥＬ素子２１（２１G）から発せられる光が直接フォトダイオード２２に入り込み、反射率を測定する上での障害となることが想定される。
【０１１５】
そこで、図２３（Ｂ）に示すように、フォトダイオード２２の上方の光伝搬路２８の有機ＥＬ素子２１（２１G）との間、好ましくは、光伝搬路２８の周囲を覆うように金属等から成る遮光壁２９を形成するようにする。
【０１１６】
このようにすることで、有機ＥＬ素子２１からの直接光がフォトダイオード２２に入らないように遮光することができるため、当該直接光が反射率を測定する上での障害となるのを未然に防ぐことができる。また、光伝搬路２８の周囲を覆うように遮光壁２９を形成することで、フォトダイオード２２を挟む有機ＥＬ素子２１Gからの直接光だけでなく、当該有機ＥＬ素子２１Gに隣接する他の色の有機ＥＬ素子２１R，２１Bからの直接光についても遮光することによって混色を防止することができる。
【０１１７】
（製造方法の他の例）
このように遮光壁２９を形成する場合の製造方法について製造方法の他の例として、図２４及び図２５の製造工程図を用いて説明する。
【０１１８】
先述した製造方法の製造工程図（図２２参照）において説明した工程６までのプロセスについては同様であり、以下に、それ以降のプロセスについて説明する。先ず、図２４において、有機ＥＬ素子２１の有機層（有機ＥＬ材料）２１１、上部電極２１２を形成し（工程７）、次いで、ドライエッチングによりフォトダイオード２２上を開口させる（工程８）。
【０１１９】
次に、金属を選択成長させるシード層８３を形成する（工程９）。シード層８３は、例えば窒化チタン膜などである。成膜方法としては、スパッタや化学気相成長（ＣＶＤ）、原子層蒸着（ＡＬＤ）などがある。
【０１２０】
続いて、図２５において、側壁以外のシード層８３をエッチング（例えば、反応性イオンエッチング（ＲＩＥ））によって除去し、側壁部分のシード層８３Aのみを残す（工程１０）。次に、アルミニウムの選択ＣＶＤによってシード層８３Aの表面のみにアルミニウムを堆積して金属反射膜８４（図２３の遮光壁２９に相当）を形成する（工程１１）。
【０１２１】
シード層８３の形成〜金属遮光膜８４の形成までの製造方法としては、例えば特開２００９−９９７００号公報に記載の周知の製造方法を用いることができる。
【０１２２】
次に、樹脂などを塗布することによって光伝搬路２８を埋めて平坦化し（工程１２）、次いで、保護膜２７を形成する（工程１３）。上述した一連の工程により、図２３（Ｂ）に示すように、遮光壁２９（金属遮光膜８４）を有し、当該遮光壁２９によって有機ＥＬ素子２１から発せられる光が直接フォトダイオード２２に入り込むのを阻止する構造を持つデバイス構造が完成する。
【０１２３】
＜３．変形例＞
上記実施形態では、操作体の種類、操作体が例えば指の場合には、爪部／皮膚部／側面部などを検出するのに反射率や音を用いるとしたが、その検出方法には種々あり、反射率や音に限られるものではない。他の検出方法として、例えば、表示部１２の情報表示面１２Aに微弱電流を流し、当該微弱電流の変化によって操作体の種類を検出する方法を例示することができる。
【０１２４】
この検出方法において、操作体が例えば指の場合、爪の方が皮膚に比べて抵抗が高いため微弱電流の変化量が少ない。例えば実施例２との組合せにより、タッチパネル５０で指タッチがあるか否かを判断した後、微弱電流の変化があるしきい値以上か否かを判定することによって、操作体の種類が爪か皮膚かを識別することができる。この場合は、しきい値については、反射率の場合と同様に、事前にある範囲でメモリ部に登録しておいてもよいし、ユーザーが使用前に登録するようにしてもよい。
【０１２５】
このように、表示部１２の情報表示面１２Aに流す微弱電流の変化に基づく操作体の種類の識別を、実施例１〜３の光学的な識別と併用することにより、操作体の種類の識別精度をより向上させることができる。
【０１２６】
また、上記実施形態では、受光素子としてフォトダイオード、特に、裏面照射型センサ構造のフォトダイオードを用いるとしたが、これに限られるものではなく、例えば、光電変換可能な有機膜を用いる素子を用いることができる。光電変換可能な有機膜を用いる素子としては、例えば、逆バイアス状態で用いる有機ＥＬ素子を例示することができる。
【０１２７】
従って、画素の発光素子として有機ＥＬ素子を用いる場合には、受光素子としても有機ＥＬ素子を用いるのが好ましい。このようにすることで、発光素子及び受光素子を共に同じプロセスにて、同じ配線層やトランジスタ層に形成することができるため、製造コストの低減を図る上で有利となる。
【０１２８】
＜４．本開示の構成＞
尚、本開示は以下のような構成を採ることができる。
（１）表示部と、
前記表示部の表示面上に位置する操作体の種類を光学的に識別する識別部と、
前記識別部が識別した前記操作体の種類に応じて前記表示部に対する操作の内容を制御する制御部と
を備える電子機器。
（２）前記識別部は、前記操作体からの反射光を基に当該操作体の種類を識別する
前記（１）に記載の電子機器。
（３）前記識別部は、
前記表示部内に設けられた発光素子から発せられる光の照射光量と、前記発光素子から発せられ、前記操作体で反射された光を受光する、前記表示部内に設けられた受光素子の入射光量とに基づいて前記操作体の反射率を算出し、この算出した前記操作体の反射率を基に当該操作体の種類を識別する
前記（２）に記載の電子機器。
（４）前記発光素子は、前記表示部の画素の発光素子である
前記（３）に記載の電子機器。
（５）前記発光素子は、可視光以外の光を発する
前記（３）に記載の電子機器。
（６）前記画素の発光素子は、自発光素子である
前記（４）に記載の電子機器。
（７）前記自発光素子は、有機エレクトロルミネッセンス素子である
前記（６）に記載の電子機器。
（８）前記受光素子は、光電変換可能な有機膜を用いる素子である
前記（７）に記載の電子機器。
（９）前記受光素子は、前記画素に対応して設けられている
前記（４）に記載の電子機器。
（１０）前記受光素子は、同じ色の前記画素間に設けられている
前記（９）に記載の電子機器。
（１１）前記受光素子への光伝搬路の周囲が遮光壁によって覆われている
前記（９）または前記（１０）に記載の電子機器。
（１２）前記発光素子と前記受光素子とが同一の半導体基板上に形成されている
前記（３）に記載の電子機器。
（１３）前記受光素子は、フォトダイオードである
前記（３）に記載の電子機器。
（１４）前記受光素子は、当該受光素子の上に配されるカラーフィルタによって色分離されている
前記（３）、前記（９）から前記（１３）のいずれかに記載の電子機器。
（１５）前記受光素子は、形成される半導体基板の深さ方向における形成位置によって色分離されている
前記（３）、前記（９）から前記（１３）のいずれかに記載の電子機器。
（１６）前記表示部の表示面上に配されたタッチパネルを有する
前記（１）から前記（１５）のいずれかに記載の電子機器。
（１７）前記識別部は、前記操作体によって前記タッチパネルが操作されたときに前記操作体の種類の識別を行う
前記（１６）に記載の電子機器。
（１８）前記操作体によって前記タッチパネルが操作されたときの音を検知する集音器を有し、
前記識別部は、光学的な識別に加えて、前記集音器が検出した音の周波数成分を基に前記操作体の種類を識別する
前記（１６）に記載の電子機器。
（１９）前記操作体は、反射率の異なるペン先を有するタッチペンである
前記（１）に記載の電子機器。
（２０）表示部を備える電子機器の操作に当って、
前記表示部の表示面上に位置する操作体の種類を光学的に識別し、
その識別した前記操作体の種類に応じて前記表示部に対する操作の内容を制御する
電子機器の操作方法。
【符号の説明】
【０１２９】
１０・・・音楽再生機器、１１・・・本体部、１２・・・表示部、１２A・・・情報表示面、１３・・・再生／停止ボタン、１４・・・ホームボタン、１５・・・音量調節ボタン、２１R，２１G，２１B・・・有機ＥＬ素子、２２・・・フォトダイオード、２３・・・半導体基板、２４，２６・・・配線層、２５・・・素子形成層、２７・・・保護膜、２８・・・光伝搬路、２９・・・遮光壁、３０・・・カラーフィルタ、４０A，４０B・・・制御系、４１，４５・・・ＡＤ変換部、４２・・・識別部、４３・・・メモリ部、４４・・・制御部、５０・・・タッチパネル、６０・・・ボールペン式タッチペン、６１・・・本体部、６２，６３，６４・・・操作子、６５A，６５B，６５C・・・反射体、７０・・・集音器
【図１】
2013117890.tif 000003
【図２】
2013117890.tif 000004
【図３】
2013117890.tif 000005
【図４】
2013117890.tif 000006
【図５】
2013117890.tif 000007
【図６】
2013117890.tif 000008
【図７】
2013117890.tif 000009
【図８】
2013117890.tif 000010
【図９】
2013117890.tif 000011
【図１０】
2013117890.tif 000012
【図１１】
2013117890.tif 000013
【図１２】
2013117890.tif 000014
【図１３】
2013117890.tif 000015
【図１４】
2013117890.tif 000016
【図１５】
2013117890.tif 000017
【図１６】
2013117890.tif 000018
【図１７】
2013117890.tif 000019
【図１８】
2013117890.tif 000020
【図１９】
2013117890.tif 000021
【図２０】
2013117890.tif 000022
【図２１】
2013117890.tif 000023
【図２２】
2013117890.tif 000024
【図２３】
2013117890.tif 000025
【図２４】
2013117890.tif 000026
【図２５】
2013117890.tif 000027